(57)【要約】      （修正有）【課題】患者の体に与える影響を抑えつつ患者を加温することができる加温装置を提供する。【解決手段】加温装置を、患者と患者を載せる手術台との間に配置されて患者を加温する加温装置であって、発熱用の導電糸が編み込まれて平面状に形成された布地１０と、布地の一端に間隔を空けて設けられる２つの電極部６１、６２と、を有し、布地には、２つの電極部の間に一端から他端に所定長さだけ延伸する所定幅の電気的な絶縁部５１が設けられており、布地の一端から他端までの幅は、手術台の幅と略同じである加温装置とする。【選択図】図４
2018000851.tif 000002
【特許請求の範囲】
【請求項１】
患者と前記患者を載せる手術台との間に配置されて前記患者を加温する加温装置であって、
発熱用の導電糸が編み込まれて平面状に形成された布地と、
前記布地の一端に間隔を空けて設けられる２つの電極部と、
を有し、
前記布地には、前記２つの電極部の間に前記一端から他端に所定長さだけ延伸する所定幅の電気的な絶縁部が設けられており、
前記布地の前記一端から前記他端までの幅は、前記手術台の幅と略同じである
ことを特徴とする加温装置。
【請求項２】
前記布地は複数並置されており、
各布地の間には平面状の絶縁部材が設けられ、
前記絶縁部材の上面側に一方の布地の一端が配置され、前記絶縁部材の下面側に他方の布地の一端が配置され、前記一方の布地の一端と前記他方の布地の一端とは互いに重なり合わないように配置されている
ことを特徴とする請求項１に記載の加温装置。
【請求項３】
前記布地の前記他端に電極部が設けられていることを特徴とする請求項１または２に記載の加温装置。
【請求項４】
前記２つの電極部の間に電圧が印加されることにより、前記２つの電極部の一方の電極部から他方の電極部に前記他端に設けられた前記電極部を経由して電流が流れることを特徴とする請求項３に記載の加温装置。
【発明の詳細な説明】
【技術分野】
【０００１】
本発明は、医療用の加温装置に関する。
【背景技術】
【０００２】
近年、病院などの医療施設において、手術時における低体温の防止を目的として患者を加温するための様々な対策が施されている（例えば、特許文献１、２を参照）。従来の加温方法としては、主に温風式、温水式、電気式などが挙げられる。
【先行技術文献】
【特許文献】
【０００３】
【特許文献１】特表２０１２−５１７８８３号公報
【特許文献２】特許第５５４３０３４号公報
【発明の概要】
【発明が解決しようとする課題】
【０００４】
例えば、患者にブランケットを着用させて、ブランケット内に温風または温水を環流させることにより患者を加温する場合は、ブランケット内に温風または温水の流路を確保するためのスペースが必要となる。このため、ブランケットの表面において、流路が設けられる箇所と設けられない箇所とがあることにより起伏が生じる。また、手術台にマットを配置し、患者をマットの上に移動させてマットを電気的に加熱することにより患者を加温する場合は、マット内にカーボンヒーターやニクロム線などが設けられることでマットに厚みがあるため、マットと手術台との間に段差が生じる。
【０００５】
このため、全身麻酔などにより患者の筋肉を弛緩させた状態で手術が行われる場合や患者の姿勢を変えずに手術が行われる場合、従来の加温方法では、ブランケットの表面の起伏やマットを設置することにより生じる段差などが原因で患者の体に圧迫痕が残る可能性がある。
【０００６】
本件開示の技術は、上記の事情に鑑みてなされたものであり、その目的とするところは、手術台において患者の体に与える影響を抑えつつ患者を加温することができる加温装置を提供することである。
【課題を解決するための手段】
【０００７】
本件開示の一側面における加温装置は、患者と患者を載せる手術台との間に配置されて患者を加温する加温装置であって、発熱用の導電糸が編み込まれて平面状に形成された布地と、布地の一端に間隔を空けて設けられる２つの電極部と、を有し、布地には、２つの電極部の間に一端から他端に所定長さだけ延伸する所定幅の電気的な絶縁部が設けられており、布地の一端から他端までの幅は、手術台の幅と略同じである。これにより、従来の加温装置に比べて患者の加温部（布地）を薄くできるため、手術台と患者との間に本加温装置を載置したときに、加温部と手術台との間に段差が生じて患者の体に圧迫痕が残る可能性を低減することができる。さらに、電極部は布地の端部に設けられているため、電極部により生じる起伏が患者の体と重なって、患者の体に圧迫痕が残る懸念もない。
【０００８】
また、布地は複数並置されており、各布地の間には平面状の絶縁部材が設けられ、絶縁部材の上面側に一方の布地の一端が配置され、絶縁部材の下面側に他方の布地の一端が配置され、一方の布地の一端と他方の布地の一端とは互いに重なり合わないように配置されている構成としてもよい。これにより、患者の加温部の表面にできるだけ起伏を生じさせ
ずに隙間なく配置することが可能になるため、患者の体に圧迫痕が残る可能性を抑えつつ患者の体をできるだけ均一に加温することができる。
【０００９】
さらに、布地の他端に電極部が設けられていてもよい。また、上記２つの電極部の間に電圧が印加されることにより、２つの電極部の一方の電極部から他方の電極部に他端に設けられた電極部を経由して電流が流れるように加温装置を構成してもよい。これにより、より確実に布地全体に電流を流すことができる結果、布地全体が均一に発熱し、患者の体をできるだけ均一に加温することができる。
【発明の効果】
【００１０】
本件開示の技術によれば、手術台において患者の体に与える影響を抑えつつ患者を加温することができる加温装置を提供することができる。
【図面の簡単な説明】
【００１１】
【図１】一実施形態における加温装置の使用例を示す図である。
【図２】一実施形態における加温装置の使用例を示す図である。
【図３】一実施形態における加温装置の本体部の概略構成を示す図である。
【図４】一実施形態における加温装置の本体部の概略構成を示す図である。
【図５】一実施形態における加温装置の布地における導電糸の編み目を例示する図である。
【図６】一実施形態における加温装置の布地における導電糸と繊維糸を用いたリバーシブル編みを例示する図である。
【図７】一実施形態における加温装置の布地において電極糸が片面飾り縫いされた状態を例示する図である。
【図８】一実施形態における加温装置の布地において片面飾り縫いされた電極糸を維持する下糸の状態を例示する図である。
【図９】一実施形態における加温装置の布地の配置を例示する部分断面図である。
【図１０】一実施形態における加温装置の本体部のカバーを例示する図である。
【図１１】一実施形態における加温装置の使用例を示す図である。
【発明を実施するための形態】
【００１２】
以下に、図面を参照して本発明の実施の形態について説明する。なお、本発明の構成は以下に開示されるものに限定されない。
【００１３】
図１、２に本実施形態に係る加温装置１の使用例を示す。図１、２に示すように、加温装置１は、本体部２、コントローラー３、電源ユニット４を有する。本体部２は、導電糸が面状に編み込まれた布地に電極が設けられた布ヒーターを、表面カバーおよび裏面カバーの間に挟み込んだものである。本実施形態において、布ヒーターとしては、株式会社三機コンシス製の布ヒーター「ＭｉｌｄＷａｒｍｅｒ」を用いるのが好適である。本体部２は、布地に電流が供給されることにより発熱する。本体部２は、本体部２への電流供給を制御するコントローラー３に接続されている。また、コントローラー３は電源ユニット４と接続されている。電源ユニット４は、図示しないコンセントに接続され、交流を直流に変換して電流をコントローラー３を経由して本体部２に送る。なお、加温装置１の構成の詳細については後述する。
【００１４】
図１、２において、加温装置１の本体部２は、手術台５の上に載置されている。そして、患者６は、上半身が本体部２と重なるように手術台５の上に横たわっている。術者は、本体部２および手術台５に対する患者６の配置が完了したら、コントローラー３を操作して本体部２に対する電流供給を開始する。本体部２は、コントローラー３を経由して供給される電流により発熱する。そして、本体部２が発熱することにより、患者６が加温され
る。
【００１５】
図３に、加温装置１の本体部２の構成を概略的に示す。図３に示すように、本体部２は、布ヒーターを構成する２枚の布地１０、２０、表面カバー３０、裏面カバー４０を有する。布地１０、２０の数はこれに限られない。なお、図３には、本体部２における配線などは図示を省略している。また、布地１０、２０の構成の詳細については後述する。布地１０、２０は、表面カバー３０および裏面カバー４０に挟み込まれている。表面カバー３０および裏面カバー４０は、撥水性および電気絶縁性を有する繊維素材により作製される。
【００１６】
布地１０、２０のそれぞれの縦幅および横幅は、表面カバー３０および裏面カバー４０のそれぞれの縦幅および横幅より小さい。また、表面カバー３０の縦幅および横幅と裏面カバー４０の縦幅および横幅は、それぞれ同じ長さである。このため、表面カバー３０と裏面カバー４０で布地１０、２０を挟んだ状態で、表面カバー３０と裏面カバー４０を重ね合わせると、布地１０、２０はその全体が表面カバー３０および裏面カバー４０に覆われる。表面カバー３０と裏面カバー４０とは、端部において互いに縫い合わされてパイピング処理されている。また、布地１０、２０は裏面カバー４０に接着テープなどにより固定されている。なお、表面カバー３０と裏面カバー４０の接合方法や布地１０、２０の裏面カバー４０への固定方法はこれに限られない。また、本実施形態では、本体部２の横幅、すなわち図４において紙面左右方向の幅は、手術台５の幅と略同一である。
【００１７】
図４に、加温装置１の本体部２の内部構成を概略的に示す。また、図４には、患者６の位置を点線にて示す。布地１０、２０は裏面カバー４０に接着固定されている。また、布地１０と布地２０とは、裏面カバー４０上において互いに隣接して配置されている。ただし、図４には図示していないが、後述するように、実際は布地１０、２０の間には絶縁テープが配されており、布地１０と布地２０との間に隙間が生じないように構成されている。
【００１８】
図４に示すように、布地１０の略中央には、布地１０の一端から他端に向かって延伸する電気的な絶縁部５１が設けられている。本実施形態では、一例として絶縁部５１は、布地１０に設けられた間隙部である。絶縁部５１は、布地１０の一端から他端に至る手前の位置まで延伸している。なお、布地１０の一端から他端に至る手前の位置までの長さが、本願でいう「所定長さ」の一例に相当する。また、布地１０の一端には、電極部６１、６２が、他端には電極部６３がそれぞれ布地１０の縁に沿って延伸するように設けられている。本実施形態では、本体部２の横幅、すなわち電極部６１、６２が設けられている布地１０の一端側から電極部６３が設けられている布地１０の他端側に亘る方向における本体部２の幅が、手術台５の幅と略同一である。このため、本体部２を手術台５に幅に合わせて載置したときに、電極部６１〜６３を設けることにより本体部２の表面に生じる起伏が患者６の体に当たって圧迫痕を残す可能性は低いと言える。なお、布地２０も、布地１０と同様に電極部６１、６２に対応する電極部６４、６５、電極部６３に対応する電極部６６、絶縁部５１に対応する絶縁部５２をそれぞれ有する。
【００１９】
また、電極部６１、６２、６４、６５は、リード線７１、７２、７２、７３にそれぞれ接続されている。リード線７１〜７３は、コネクタ９０を介してコントローラー３に接続されている。なお、電極部６２、６４は共通のリード線７２に接続されている。したがって、電極部６１と電極部６２を通電させる際に、例えばコントローラー３からリード線７１に供給される電流が、電極部６１から布地１０および電極部６３を経由して電極部６２に流れ、リード線７２を経由してコントローラー３に戻る。また同様に、コントローラー３からリード線７３に供給される電流が、電極部６５から布地２０および電極部６６を経由して電極部６４に流れ、リード線７２を経由してコントローラー３に戻る。
【００２０】
次に、布ヒーターを構成する布地１０、２０について説明する。布地１０、２０の形態としては、導電糸のみを編み込んで布地として形成したものと、導電糸が布地の一面側に編み込まれると共に、繊維で形成された糸（以下、「繊維糸」という。）が他面側にのみ現れるリバーシブル編みによって編み込まれて一枚に形成されているものとを挙げることができる。以下、導電糸が一面側に編み込まれると共に、繊維糸が他面側にのみ現れるリバーシブル編みによって編み込まれて一枚に形成されている布地を、布地１０、２０の一例として以下に説明する。なお、以下の説明では布地１０について説明するが、布地２０にも同様に当てはまる。
【００２１】
布地１０において、導電糸１１は、図５に示すように、布地１０の一面１０ａ側に一定間隔を空けて複数配されており、各導電糸１１は、その長さ方向の一定ピッチごとに、図中上側に位置する導電糸１１に向けてループ１２が形成されている。各導電糸１１は、このループ１２同士を互いに絡み合わせて編み込まれている。
【００２２】
なお、導電糸１１の編み方は、特に限定がなく、横編みで導電糸１１を編み込んでもよいし、縦編みで導電糸１１を編み込んでもよい。横編みとしては、例えば、天竺編み、リブ編み（フライス編みまたはゴム編みともいう。）およびパール編み（リンクス編みまたはガーター編みともいう。）を挙げることができる。縦編みとしては、例えば、トリコット編みおよびアトラス編みを挙げることができる。導電糸１１の編み方は適宜選択すればよい。
【００２３】
繊維糸５０は、図６に示すように、他面１０ｂ側に編み込まれている。繊維糸５０は、他面１０ｂ側にのみ現れるようにリバーシブル編みされている。繊維糸５０は、複数の導電糸１１が編まれる方向と直交する方向に、一定間隔ごとに複数のループ５１を備えている。これらのループ５１は、導電糸１１に形成されているループ５１に絡められることによって、導電糸１１と一体になるように編み込まれている。なお、ここでいう「リバーシブル編み」とは、一方の面に現れる糸と、他方の面に現れる糸とが異なるように編み込む編み方のことをいう。
【００２４】
具体的には、導電糸１１を上糸に使用すると共に、繊維糸５０を下糸に使用して導電糸１１と繊維糸５０とを編み込む場合、繊維糸５０のループ５１を編み針で導電糸１１に向けて上昇させて導電糸１１よりも図中上側に移動し、その後に再び編み針で導電糸１１よりも下側に降下させる。繊維糸５０のループ５１は、このときに導電糸１１のループ５１に絡められる。この工程が繰り返されることによって、ループ５１が導電糸１１に順次に繋がれ、繊維糸５０の面が他面１０ｂ側に形成される。
【００２５】
繊維糸５０は、合成繊維、天然繊維および合成繊維と天然繊維との混合繊維のいずれをも用いることができる。繊維糸５０を合成繊維で形成する場合、繊維糸５０は、ポリアミドまたはポリエステルで形成することができる。ポリアミドとしては、例えば、ナイロン、ケプラー（登録商標）およびテクニール（登録商標）を挙げることができる。ポリエステルとしては、例えば、テトロン（登録商標）を挙げることができる。こうした繊維糸５０は、例えば、３０デニールの太さに形成された糸が使用されるが、用途に応じて好適な太さの糸が選定される。
【００２６】
次に、布ヒーターを構成する電極部６１〜６６について説明する。以下の説明では、電極部６１について説明するが電極部６２〜６６も同様に構成される。電極部６１は、布地１０に電極糸を縫い込んで形成する形態、あらかじめ所定の形状に形成された電極部を布地１０に接着剤で貼り付けたり、ホチキス等の結合部材で結合させたりする形態、および布地１０を編み込む工程で電極糸を布地１０に部分的に編み込んで形成する形態等の中か
ら必要に応じて選択することができる。以下、布地１０に電極糸を縫い込んで形成する形態を例にして電極部６１を説明する。
【００２７】
導電糸１１が一面１０ａ側に編み込まれると共に、繊維糸５０が他面側１０ｂにのみ現れるリバーシブル編みによって編み込まれて一枚に形成されている布地１０の場合、電極部６１は、導電糸１１が現れている一面１０ａ側に飾り部が形成される片面飾りによって形成するとよい。飾り縫いをする際には、複数の針、例えば、２〜４本の針を使用して行う。なお、導電糸１１のみを編み込んで形成する布地の場合、飾り縫いの形態は、飾り部が布地の両面に現れる形態の飾り縫い、および片面だけに現れる形態の飾り縫いのどちらの形態も利用することができる。
【００２８】
電極部６１の上糸に使用される第１電極糸６１ａ（以下、単に電極糸６１ａという。）および下糸に使用される第２電極糸６１ｅ（以下、単に電極糸６１ｅという。）は、繊維からなる芯線（図示しない）の外周に銅線（図示しない）を撚糸して形成されている。電極糸６１ａは線径が相対的に細い銅線を芯線の外周に撚糸して形成され、電極糸６１ｅは線径が相対的に太い銅線を芯線の外周に撚糸して形成されている。具体例として、電極糸６１ａは芯線の外周に外径が０．０５ｍｍ以下の銅線を撚糸することによって形成され、電極糸６１ｅは芯線の外周に外径が０．０８ｍｍ以上の銅線を撚糸して形成されている。電極糸６１ａは、布地１０との間の電気的密着性を向上させると共に、電極部６１に柔軟性をもたらす。一方、電極糸６１ｅは、布地１０に供給する電流を確保することによって電圧降下を防止している。
【００２９】
電極糸６１ａおよび電極糸６１ｅを構成する芯線は、合成繊維、天然繊維および合成繊維と天然繊維との混合繊維のいずれをも用いることができる。芯線を合成繊維で形成する場合、芯線は、ポリアミドまたはポリエステルで形成することができる。ポリアミドとしては、例えば、ナイロン、ケプラーおよびテクニールを挙げることができる。ポリエステルとしては、例えば、テトロンを挙げることができる。
【００３０】
ただし、電極糸６１ａ、６１ｅは、繊維からなる芯線に導線を撚糸したもの以外にも、銅線および銅合金線等、導電性を有する線の表面に耐食めっき皮膜が形成されたものを使用することもできる。この耐食めっき皮膜の形成材料は、銀、錫、ニッケルまたはその合金等の耐食性を有する材料である。なお、用途に応じて耐食めっき皮膜を施さずに、銅線や銅合金線だけで構成してもよい。
【００３１】
こうした電極糸６１ａ、６１ｅによって構成された電極部６１について、図７および図８を参照して、２本の針を使用して形成された電極部６１について説明する。電極部６１は、電極糸６１ａが上糸として使用され、電極糸６１ｅが下糸として使用されている。上糸である電極糸６１ａは、図７に示すように、導電糸１１が編み込まれている一面１０ａ側で、アルファベットのＺの文字が連なるように布地１０に縫い込まれる。縫い込まれた電極糸６１ａは、相互に平行をなす部分６１ａと、両側の平行をなす部分６１ｂと直交し、かつ、両側の平行をなす部分６１ｂ同士を連絡する部分６１ｃと、両側の平行をなす部分６１ｂを斜めに横切るようにして、両側の平行をなす部分６１ｂ同士を連絡する部分６１ｄとから構成される。縫い込まれた電極糸６１ａは、平行をなす部分６１ｂで、縫製方向の一定間隔毎に下糸である電極糸６１ｅに固定されることによって、縫い込まれた形状が維持されている。
【００３２】
下糸である電極糸６１ｅは、２本使用されている。電極糸６１ｅは、図８に示すように、繊維糸５０が編み込まれた他面１０ｂ側で、電極糸６１ａの平行をなす部分６１ｂに対応する位置に破線をなすように平行をなして縫製方向に延びている。
【００３３】
こうした電極部６１は、電極糸６１ａ、６１ｅが片面飾り縫いされて形成されるので、布地１０の伸縮に対応して電極部６１自体も伸縮する。ただし、電極糸６１ａと電極糸６１ｅとを用いた電極部６１は、導電糸１１が一面１０ａ側に編み込まれると共に、繊維糸５０が他面１０ｂ側にのみ現れるリバーシブル編みによって編み込まれて一枚に形成されている布地１０に適用する場合には限定されない。電極糸６１ａと電極糸６１ｅとを用いた電極部６１は、導電糸１１だけを編み込んで形成した布地に適用することもできる。
【００３４】
なお、電極部６１は、上糸に電極糸を使用し、下糸に繊維からなる糸を使用して形成してもよい。その場合の電極部は、上記の電極部６１の構造と同様に構成すればよい。なお、電極部６１、６２、６４、６５はリード線７１、７２、７２、７３にそれぞれ接続されている。
【００３５】
また、電源部４の一例としては、ＡＣ／ＤＣアダプターによって、ＡＣ１００ＶまたはＡＣ２００Ｖの交流電源を、例えばＤＣ１．５Ｖ以上、ＤＣ２５Ｖ以下の直流電流に変換し、変換された直流電流を出力する定電圧装置が挙げられる。なお、電源は、直流電源と交流電源のいずれも使用することができる。直流電源を使用する場合、電源は、ＤＣ１．５Ｖ以上、ＤＣ２５Ｖ以下の電圧を出力するものを使用することができる。この場合、電源としては、例えば、ＤＣ１．５Ｖの乾電池、リチウムポリマー電池を挙げることができる。また、電源部４には、交流電源や、パルス電圧を出力する電源を用いることもできる。以下の説明では、電源部４として直流電源を用いた場合を例にして、本体部２の作用について説明する。
【００３６】
次に、布地１０、２０および電極６１〜６６からなる布ヒーターを有する本体部２が発熱する原理について、布地１０に布地１０、２０を代表させて説明する。電極部６１、６２に電圧を印加したとき、布地１０の一面１０ａ側に編み込まれた導電糸１１が、電極部６１と電極部６２同士を通電させる。なお、電極部６１と電極部６２は、電極部６３を経由して通電する。布地１０は、電極部６１と電極部６２同士の間に一定の抵抗値を与えている。そのため、電極部６１と電極部６２同士の間に抵抗値に応じたジュール熱が布地１０に発生する。発生するジュール熱は、ジュール熱をＰ、流れる電流値をＩ、電極部６１と電極部６２の間の抵抗値をＲとすると、次の式（１）で表すことができる。
Ｐ（ワット）＝Ｉ×Ｉ×Ｒ・・・・・（１）
【００３７】
本体部２の温度は、布地１０から発生するジュール熱によって定まり、コントローラー３によって、指定される温度に応じて電極部６１と電極部６２の間の抵抗値および電極部３０に印加する電圧が決定される。なお、電圧は、コントローラー３によって一定電圧を連続的に印加してもよいし、適宜にオンとオフとを繰り返し行ってもよい。また、繊維糸５０が布地１０の他面１０ｂ側に編み込まれているので、繊維糸５０が絶縁体として機能し、他面１０ｂ側は電気的に絶縁される。
【００３８】
電極部６１、６２に電圧が印加されると、本体部２は、短時間で指定された温度まで昇温される。なお、布地１０は、導電糸１１が編み込まれて構成されており、一端に電極部６１、６２が設けられ、他端に電極部６３が設けられているため、電極部６１から電極部６３を経由して電極部６２までの間の通電領域は、むらなく均等に昇温される。
【００３９】
次に、図９を参照しながら、裏面カバー４０上における布地１０、２０の配置について説明する。図９は、本体部２の部分断面図である。図９には、布地１０と布地２０との間の構成について示す。本実施形態では、本体部２に触れている患者６の体を均等に加温するため、布地１０、２０は隙間なく配置することが望ましい。ただし、上記の通り、布地１０、２０は、導電糸１１が編み込まれて形成されているため、布地１０、２０を単純に隙間なく配置すると、布地１０、２０の間に電流が流れる。そこで、本実施形態では、布
地１０、２０の間に絶縁テープ１００を介在させる。絶縁テープ１００は、布地１０、２０の一方が絶縁テープ１００の下面１００ａ側に配され（図では布地１０）、他方が絶縁テープ１００の上面１００ｂ側に配される（図では布地２０）。そして、布地１０、２０は、絶縁テープ１００を挟んで互いに重ならないように配される。
【００４０】
ここで、本体部２の布地１０、２０が設けられている領域において絶縁テープ１００が設けられている部分とそうでない部分との間で本体部２の厚さは異なると考えられる。しかし、絶縁テープ１００は布地１０と布地２０とを互いに絶縁する機能を有すればよい。したがって、絶縁テープ１００の厚さを適宜選択することで、図１に示すように患者６が本体部２の上に横たわっているときに当該厚さの違いが原因で患者６の体に圧迫痕が残る懸念は生じないと考えられる。
【００４１】
次に図１０、１１を参照しながら、本実施形態における加温装置１用の保護カバーについて説明する。本体部２は、布地１０、２０、表面カバー３０、裏面カバー４０が一体的に構成されているため、施術中に患者６の体液などが表面カバー３０または裏面カバー４０に付着した場合、汚損した表面カバー３０または裏面カバー４０を交換することは現実的ではない。また、表面カバー３０または裏面カバー４０を洗浄することも、感染症の予防の観点からも望ましいとは言えない。そこで、本実施形態では、加温装置１の本体部２を保護カバー１１０に収納して使用することも可能である。
【００４２】
保護カバー１１０は、不織布の袋であり一端に本体部２を挿入する開口１１０ａが設けられている。なお、保護カバー１１０は単回使用部材であり施術ごとに廃棄される。また、保護カバー１１０の他端における袋の底部１１０ｂの両端には、開口１１０ｃ、１１０ｄ（図中、点線にて示す）が設けられている。保護カバー１１０の横幅および縦幅は、それぞれ本体部２の横幅および縦幅よりも若干大きい。このため、本体部２を保護カバー１１０に収納すると、本体部２が保護カバー１１０で覆われた状態となる。さらに、保護カバー１１０は、コントローラー３と本体部２を接続するコネクタ９０を覆うコネクタ保護部１１０ｅを有する。コネクタ保護部１１０ｅにより、コントローラー３とコネクタ９０とを接続する配線の一部も保護される。
【００４３】
また、本体部２に開口１１０ｃ、１１０ｄが設けられているため、カバー１１０内における本体部２の位置決めが容易になる。開口１１０ｃ、１１０ｄがない場合、術者は、開口１１０ａから手を入れて本体部２の角をカバー１１０の隅に合わせる手間が生じる。しかし、保護カバー１１０においては、術者は、本体部２をカバー１１０に収納する際に、開口１１０ｃまたは１１０ｄに指を入れて本体部２の角をつまんで引くことで、より容易に本体部２の角をカバー１１０の隅に合わせることができる。
【００４４】
図１１に本体部２にカバー１１０を取り付けた場合の使用例を示す。図１１は図１に対応する図であるため、図１と同じ構成については詳細な説明を省略する。また、図１１においては、加温装置１については本体部２のみを示す。術者は、加温装置１の本体部２をカバー１１０に収納して、本体部２をカバー１１０とともに手術台５に載置する。そして、術者は、図１１に示すように本体部２および手術台５に対して患者６を配置する。本実施形態では、一例として、図１１を紙面手前側から見たときに、術者が手術台５および患者６の左側に立つことを想定し、コントローラー３および電源ユニット４も手術台５および患者６の左側に位置するように加温装置１が配置される。したがって、カバー１１０の底部１１０ｂが開口１１０ａに対して患者６の頭部側に位置する。図１１に示すように、患者６はカバー１１０の上に重なるため、施術時に患者６の体液などで本体部２が汚損されるリスクを低減することができる。
【００４５】
以上のように、本実施形態に係る加温装置１によれば、手術台５と略同じ横幅の布地１
０、２０の両端縁に沿って電極部６１〜６６が配置されており、患者６と手術台５との間にリード線７１〜７３が位置しないように構成されている。これにより、本体部２を手術台５に載置しても本体部２表面の起伏や本体部２と手術台５の間の段差はほとんど生じないため、従来の加温装置に比べて施術時間の経過に伴って患者６の体に圧迫痕が生じる可能性を大幅に低減することができる。
【００４６】
以上が本実施形態に関する説明であるが、上記の加温装置１の構成は、上記の実施形態に限定されるものではなく、本発明の技術的思想と同一性を失わない範囲内において種々の変更が可能である。例えば、上記の実施形態では、絶縁部５１、５２を間隙部として設けている。ただし、絶縁部５１を、間隙部の代わりに絶縁部材を設ける構成としてもよい。また、絶縁部５１を図９に示すように絶縁テープを用いて布地１０の一方を絶縁テープの上面側に、他方を絶縁テープの下面側に配されるように構成してもよい。
【符号の説明】
【００４７】
１    加温装置
２    本体部
１０、２０    布地
１１    導電糸
６１、６２、６３、６４、６５、６６    電極部
１００    絶縁テープ
【図１】
2018000851.tif 000003
【図２】
2018000851.tif 000004
【図３】
2018000851.tif 000005
【図４】
2018000851.tif 000006
【図５】
2018000851.tif 000007
【図６】
2018000851.tif 000008
【図７】
2018000851.tif 000009
【図８】
2018000851.tif 000010
【図９】
2018000851.tif 000011
【図１０】
2018000851.tif 000012
【図１１】
2018000851.tif 000013